(57)【要約】【課題】商品陳列用棚板上に装着された位置において、プライスカード差しや仕切板が風や振動を受けて移動したり向きを変えたりしないようにし、また棚板自体に重量感並びに高級感を付与可能にする。【解決手段】木製または合成樹脂製の棚板本体２に、この棚板本体２の外側面の全体または一部を覆うように鋼板３が取り付けられた構成である。【選択図】図１
0003153601.tif 000002
【実用新案登録請求の範囲】
【請求項１】
木材、集合材または合成樹脂などの非磁性の素材を用いて商品陳列用の棚板本体を形成し、この棚板本体の商品を載置する上面載置部から前面縁部を覆うように鋼板を被着させたことを特徴とする商品陳列用棚板。
【請求項２】
前記鋼板がカラー鋼板であることを特徴とする請求項１に記載の商品陳列用棚板。
【考案の詳細な説明】
【技術分野】
【０００１】
本考案は、商品等を載置して陳列する商品陳列用棚板に係り、陳列商品用のプライスカード差しや商品の仕切板を安定支持させるための商品陳列用棚板に関するものである。
【背景技術】
【０００２】
従来から、商品を載置して陳列する商品陳列用棚が種々提案されている。この商品陳列用棚は組み付けが容易で安価に得られる、木製や合成樹脂製の板材が広く用いられている。例えば木製の棚板であって、これを円柱状の支柱で支える構成のものが、特許文献１に記載されている。
【０００３】
また、側柱枠とこれに懸架する板状の棚板とからなり、その側柱枠は２本１組の主柱を前後に配置し、この前後の主柱に複数個の横杆と縦杆を配し、横杆は等間隔をもつて配置されていてその端部が２本１組の主柱間に固設された構造からなり、前記棚板の両側端面にビス等により取付られる帯状の金属板の両端に該金属板と一体をなし、前記棚板の隅部に嵌合する嵌合部材を設け、この嵌合部材の外側に突設したＵ字状に屈曲する係止片を前記主柱に係合し且つ係止片を前記横杆の端部で支持するものが、例えば特許文献２に記載されている。
【先行技術文献】
【特許文献】
【０００４】
【特許文献１】特開平１１‐０９９０４２号公報
【特許文献２】特開平０８‐１５００５５号公報
【考案の概要】
【考案が解決しようとする課題】
【０００５】
しかしながら、かかる従来のいずれの棚板も木製であり、加工の容易性、低コストおよび取り扱いの容易性で実用的であるものの、棚板上に陳列された商品の値段を表示するのに、以下のような不都合があった。すなわち、商品の値段を表示するために、プライスカードを入れたプライスカード差しを棚板の上に単に載置しただけでは、人の手や物との干渉、風や振動を受けるなどして、プライスカード差しが棚板上を移動したり向きを変えたりしてしまう。この場合には、商品陳列用棚板上に陳列された商品の値段を正しく表示できない場合があるという不都合があった。
【０００６】
一方、プライスカード差しを棚板の正面に装着するものでは、そのプライスカード差しの商品陳列用棚板正面への装着構造が複雑になり、プライスカード差し自体のコスト高をも招くなどの不都合があった。
【０００７】
本考案はかかる従来の問題点に着目してなされたものであり、陳列商品の値段を表示するプライスカードを収納するプライスカード差しや複数の商品を仕切って陳列する仕切板を、商品が載置される棚板の上面や正面に簡単に装着でき、また、装着した位置において風や振動を受けるなどして容易に移動したり、向きを変えたりすることがなく、重量感並びに高級感が得られる商品陳列用棚板を提供することを目的とする。
【課題を解決するための手段】
【０００８】
前述した目的を達成するために、本考案に係る商品陳列用棚板は、木材、集合材または合成樹脂などの非磁性の素材を用いて商品陳列用の棚板本体を形成し、この棚板本体の商品を載置する上面載置部から前面縁部を覆うように鋼板を被着させたことを特徴とする。
【０００９】
この構成により、棚板本体に一体に取り付けられた鋼板は磁石の被吸着対象物として機能する。従って、プライスカード差しや仕切板に予め取り付けられた磁石によって、このプライスカード差しや仕切板が載置される鋼板上に吸着保持される。この磁石の磁気吸着保持力によって、風や振動を受けても、棚板本体上でプライスカード差しや仕切板が移動したり倒れたりすることを未然に回避できる。従って、特定商品につき価格表示のほか商品説明などを正しく実施でき、また複数の商品を仕分けるなどして、商品陳列棚板上の商品を整理、整頓状態にて陳列、展示することができる。また、棚板の全体ではなく、一部の木部などを残すように棚板本体を鋼板で覆ったことで、木部の木目などを看取可能にして、外観上美しく落ちついた高級感を付与できる。
【００１０】
また、本考案にかかる商品陳列用棚板は、前記鋼板をカラー鋼板とした場合に、棚板に対し陳列商品にマッチした色調、彩り感などを付与することができるほか、様々なデザイン効果を生むことができる。
【考案の効果】
【００１１】
本考案によれば、プライスカードを収納するプライスカード差しや複数の商品を仕切って陳列する仕切板を、商品が陳列される棚板に対し簡単に載置または装着でき、また、載置または装着した位置において風や振動を受けても容易に移動したり、向きを変えたりすることを防止でき、しかも重量感または高級感を具現することができる。
【図面の簡単な説明】
【００１２】
【図１】本考案の実施形態による商品陳列用棚板を示す斜視図である。
【図２】図１に示す商品陳列用棚板のＡ‐Ａ線断面図である。
【図３】図１に示す商品陳列用棚板のＢ‐Ｂ線断面図である。
【図４】本実施形態による商品陳列用棚板に装着されるプライスカード差しを示す斜視図である。
【図５】図４に示すプライスカード差しの使用例を示す斜視図である。
【図６】本実施形態による商品陳列用棚板に載置される仕切板を示す斜視図である。
【図７】図６に示す仕切板の使用例を示す斜視図である。
【図８】本実施形態による商品陳列用棚板に装着されるプライスカード差しを示す斜視図である。
【図９】図8に示すプライスカード差しの使用例を示す斜視図である。
【考案を実施するための形態】
【００１３】
以下、本考案の実施の形態による商品陳列用棚板を図１乃至図９を参照しながら説明する。図１は商品陳列用棚板を示す斜視図、図２は図１のＡ‐Ａ線断面図、図３は図１のＢ‐Ｂ線断面図、図４はプライスカード差しの斜視図、図5はプライスカード差しの使用例を示す斜視図、図６は仕切板の斜視図、図７は仕切板の使用例を示す斜視図、図8はプライスカード差しの斜視図、図９はプライスカード差しの使用例を示す斜視図である。
【００１４】
本実施形態による商品陳列用棚板１は、棚板本体２と鋼板３とを備えて構成される。棚板本体２は木製や合成樹脂製の板材からなる。これらのうち木製の板材は一部を残して鋼板３によって覆われている。鋼板で覆われない領域は木材が持つ木目などの模様や色彩が顕われる様な塗装が施されて、美観が付与されている。また、合成樹脂製の板材は、合成樹脂独特の鮮やかな白色や各種の色彩、模様が施されるなどして、美観が付与されている。
【００１５】
図１〜図３では、棚板本体２は、これの両端部および底面（下面）の一部を残して鋼板によって覆われている。棚板本体２は陳列する商品の重量や種類によって選択されるが、商品の種類等に応じて高級感や、重量感等が付与できる厚みやデザインとされる。
【００１６】
本実施形態では、鋼板３が木製や合成樹脂製の板材を補強するものであるところから、全体を肉薄にすることが可能である。また、図示のように棚板本体２の両側面部を鋼板３から露出させたものでは、これらの両側面部に木目が顕われる鏡面仕上げの塗装が施されることで、薄肉であるにも拘らず重量感と高級感を付与することができる。
【００１７】
鋼板３は、棚板本体２の両側面部の所定幅を残して、棚板本体２の上面（商品載置面）、前面、背面および下面の一部を覆うように設けられている。なお、この鋼板３は表面を残して棚板本体２の肉厚内に埋め込まれることで、棚板本体の露出面に対して均一面をなしている。また、鋼板３としては絵柄や模様などを表したカラー鋼板とすることもできる。使用者は陳列商品の種類や色彩、柄、デザイン等に応じて任意のものを選んで使用することができる。
【００１８】
さらに、鋼板３は磁性材料であるため、磁石に対する被吸着材料となる。従って、磁力の強さが適度な磁石（後述では、マグネットシート）をプライスカード差しや商品の仕切板に取り付けておくことで、これらを手で摘んで鋼板３に対し容易に着脱することができる。また、磁石の磁力を適度の強さにすることで、前記プライスカード差しや仕切板などが鋼板３上で通常の外風や外力を受けることがあっても、容易に移動したり、方向を変えたりすることを防止できる。
【００１９】
従って、前記プライスカード差しにあっては、プライスカードを装着することで、各商品の値段および必要な商品説明の表示を行うことができる。また、前記仕切板にあっては、商品の種類等に応じて整理整頓した状態で商品の陳列、展示を行うことができる。
【００２０】
図４は、本実施形態による商品陳列用棚板１に適用するプライスカード差し４を示す。このプライスカード差し４は透明の合成樹脂板からなり、平板部４ａの一端部にＵ字状断面形状のカード差し部４ｂを一体に有するものからなる。平板部４ａの下面には、所定幅に亘って薄肉のマグネットシート５が貼着されている。
【００２１】
このマグネットシート５は平板部４ａの下面全体に設けてもよいが、その下面の一部に設けてもよい。その一部に設けることで、プライスカード差しの美観（透明感）を維持することができる。カード差し部４ｂは、これのＵ字状部が作る狭い間隙にプライスカードを上方または側方から挿入（介在）可能になっている。
【００２２】
図５は、このようなプライスカード差し４を図１〜図３に示す商品陳列用棚板１の前部に装着した状態を示す。この状態では、平板部４ａは商品陳列用棚板１の前部上面に当接され、カード差し部４ｂが商品陳列用棚板１の前面に当接されるように設置される。このとき平板部４ａの下面に貼着されたマグネットシート５が鋼板３に磁気吸着するため、その吸着位置においてプライスカード差し４は位置ずれを生じない。図５では、１枚の商品陳列用棚板１に対して３個のプライスカード差し４が略等間隔に配置された例を示す。
【００２３】
図６は、本考案の実施形態による商品陳列用棚板１に適用する仕切板６を示す。この仕切板６は透明または不透明の合成樹脂板からなる。この仕切板６は垂直片６ａと水平片６ｂとがＬ字状に連続するように形成されている。そして水平片６ｂの下面には、マグネットシート７が貼着されている。
【００２４】
この仕切板６は、商品陳列用棚板１上の領域を幅方向に例えば３つの領域に仕切るように、図７に示すように４個が所定間隔をおいて載置されている。これらの仕切板６の水平片６ｂの下面にはマグネットシート７が一体に設けられ（貼着され）ている。このため、各仕切板６は商品陳列用棚板１上の前記位置に、マグネットシート７の鋼板３に対する磁気吸着力によって、安定的に保持される。
【００２５】
従って、これらの仕切板６によって仕切られた商品陳列用棚板１上の各領域に、それぞれ異なった種類の商品を分けて陳列または展示することができる。例えば、衣類や書籍等を陳列する場合に有用である。
【００２６】
図８は、本実施形態による商品陳列用棚板１に適用するプライスカード差し８を示す。このプライスカード差し８は、透明の合成樹脂板からなり、平板部８ａの一端に、垂直方向にＵ字状断面を持つカード差し部８ｂを一体に連設したものからなる。
【００２７】
平板部８ａの幅はカード差し部８ｂの高さに比べ、例えば３倍程度と十分大きい。従って、このプライスカード差し８は、これの平板部８ａが商品陳列用棚板１の上面に接するように置かれた場合には、容易に転倒しない。また、平板部８ａの下面には薄肉のマグネットシート９が貼着されている。カード差し部８ｂはＵ字状部が作る狭い幅の間隙にプライスカードを上方または側方から挿入（介在）可能になっている。
【００２８】
図９は、このプライスカード差し８を商品陳列用棚板１の前部上面に装着した状態を示す。この装着状態では、平面部８ａが商品陳列用棚板１の前部上面に当接され、カード差し部８ｂは商品陳列用棚板１の前面と均一な面を作る位置に、上方に向かって起立している。このため、マグネットシート９は鋼板３上に磁気吸着され、プライスカード差し８は商品陳列用棚板１上に安定支持される。
【００２９】
従って、このプライスカード差し８のカード差し部８ｂにはプライスカードが差されて、商品陳列用棚板１上の陳列商品の値段表示や必要な商品説明表示などを行う。また、マグネットシート９の鋼板に対する磁気吸引力によってこのプライスカード差し８は商品陳列用棚板１上で安定保持され、風や振動を受けることがあっても容易に倒れたり、転がったりすることない。
【００３０】
このように、本実施形態では木製または合成樹脂製の棚板本体２に、この棚板本体２の外側面の前部または一部を覆うように鋼板３を取り付けた構成とした。
これによって、陳列商品の値段を表示するプライスカードを収納するプライスカード差し４、８や複数の商品を仕切って陳列する仕切板６を商品が載置される商品陳列用棚板１の上面や正面に簡単に装着でき、また、装着した位置において風や振動を受けるなどして容易に移動したり、向きを変えたりすることがなく、しかも顧客に重量感並びに高級感を付与することができる。
【００３１】
この場合において、前記鋼板をカラー鋼板とすることで、商品陳列用棚板１に対し陳列商品にマッチした色調、彩り感などを付与することができるほか、様々なデザイン効果を奏することとなる。
【産業上の利用可能性】
【００３２】
本考案にかかる商品陳列用棚板は、プライスカード差しや仕切板を、商品が載置される商品陳列用棚板１の上面や正面に簡単に装着でき、また、装着した位置において風や振動を受けるなどしても容易に移動したり、向きを変えたりすることがなく、重量感並びに高級感を付与することができるという効果を有し、陳列商品用のプライスカード差しや商品の仕切板を安定支持させるための商品陳列用棚板等に有用である。
【符号の説明】
【００３３】
１  商品陳列用棚板
２  棚板本体
３  鋼板
４、８  プライスカード差し
４ａ、８ａ  平板部
４ｂ  、８ｂ  カード差し部
５、７、９  マグネットシート
６  仕切板
６ａ  垂直片
６ｂ  水平片
【図１】
0003153601.tif 000003
【図２】
0003153601.tif 000004
【図３】
0003153601.tif 000005
【図４】
0003153601.tif 000006
【図５】
0003153601.tif 000007
【図６】
0003153601.tif 000008
【図７】
0003153601.tif 000009
【図８】
0003153601.tif 000010
【図９】
0003153601.tif 000011